(57)【要約】【課題】従来のカードとカードリーダとの関係を反対にした構造にすることにより、各巡回対象施設と管理センターとの間にネットワークが不要であり、構造が簡単で安価で信頼性も高い巡回管理システムを提供する。【解決手段】少なくとも１つの施設を巡回する巡回者の管理を行う巡回管理システムであって、各巡回対象施設に該巡回対象施設のＩＤ情報を格納した施設側固定制御装置を固定設置すると共に、上記巡回対象施設のＩＤ情報および上記巡回者のＩＤ情報の双方が所定時間内の間に入力され、前もって記録されたそれぞれのＩＤ情報との照合判定を行って双方がそれぞれに一致した場合に該施設側固定制御装置に解錠許可信号を出力する持ち運び可能な可搬型管理処理装置２００と、を備えたことを特徴とする巡回管理システム。【選択図】図３
2006202050.tif 000002
【特許請求の範囲】
【請求項１】
少なくとも１つの施設を巡回する巡回者の管理を行う巡回管理システムであって、各巡回対象施設に該巡回対象施設のＩＤ情報を格納した施設側固定制御装置を固定設置すると共に、上記巡回対象施設のＩＤ情報および上記巡回者のＩＤ情報の双方が所定時間内の間に入力され、前もって記録されたそれぞれのＩＤ情報との照合判定を行って双方がそれぞれに一致した場合に該施設側固定制御装置に解錠許可信号を出力する持ち運び可能な可搬型管理処理装置と、を備えたことを特徴とする巡回管理システム。
【請求項２】
各巡回者に関する巡回者のＩＤ情報と該巡回者の巡回対象施設のＩＤ情報からなる施設巡回予定情報を格納した上記巡回管理システムのセンター管理装置をさらに備え、
上記可搬型管理処理装置が、上記センター管理装置から上記施設巡回予定情報のうちの該可搬型管理処理装置を使用する巡回者の上記施設巡回予定情報を記録すると共に、巡回完了を上記センター管理装置に通知し、
上記センター管理装置は、上記可搬型管理処理装置に上記施設巡回予定情報を記録後、第２の所定時間内に巡回完了の通知がない場合に警報を発生することを特徴とする請求項１に記載の巡回管理システム。
【請求項３】
上記センター管理装置が、巡回者のＩＤ情報の照合判定が一致したことを条件に上記可搬型管理処理装置への上記施設巡回予定情報の記録を行うことを特徴とする請求項２に記載の巡回管理システム。
【請求項４】
上記可搬型管理処理装置が、巡回中の各巡回対象施設での巡回をその都度記録することを特徴とする請求項１または２に記載の巡回管理システム。
【請求項５】
上記巡回者のＩＤ情報がバイオメトリクス情報からなることを特徴とする請求項１ないし４のいずれか１項に記載の巡回管理システム。
【請求項６】
上記施設側固定制御装置が上記可搬型管理処理装置から給電を受けることを特徴とする請求項１ないし５のいずれか１項に記載の巡回管理システム。
【請求項７】
上記可搬型管理処理装置から施設側固定制御装置へ出力される上記解錠許可信号が、該施設のゲートの錠のためのキーを収納したキーボックスの電磁ロックのためのものであることを特徴とする請求項１ないし６のいずれか１項に記載の巡回管理システム。
【請求項８】
上記可搬型管理処理装置と施設側固定制御装置との間に第１通信手段を設け、上記可搬型管理処理装置とセンター管理装置との間に第２通信手段と遠距離無線通信手段を設けたことを特徴とする請求項２ないし７のいずれか１項に記載の巡回管理システム。
【発明の詳細な説明】
【技術分野】
【０００１】
この発明は、ＩＤの照合判定を利用して巡回者の管理を行う巡回管理システムに関する。
【背景技術】
【０００２】
この種の巡回管理では、例えば、広範囲に点在する多くの変電所や無線基地局を巡回して保守等を行う巡回作業の管理を行うが、変電所や無線基地局にはそれぞれに出入口や内部に多くの鍵があるため、全体では非常に多くのキーを管理する必要があり、大変手間がかかるだけでなく、セキュリティ上もキーの不当コピー(合鍵)等の問題がある。そこでこれにＩＤカードや指紋等のバイオメトリクス情報を利用して出入管理を行うシステムを適用することが考えられる(例えば特許文献１参照)。
【０００３】
【特許文献１】特開２００１−２７９９６６号公報
【発明の開示】
【発明が解決しようとする課題】
【０００４】
しかしながら、各変電所や無線基地局に上述のようなカードリーダを設け、さらにこれらを例えばセンターのホストコンピュータにそれぞれ接続してネットワークを構築する場合、設備が高価になり、また停電時の各カードリーダにおけるメモリバックアップ等も考慮すると、さらに高価になる等の問題があった。
【０００５】
この発明は、従来のカードとカードリーダとの関係を反対にした構造にすることにより、構造が簡単で安価で信頼性も高い巡回管理システムを提供することを目的とする。
【課題を解決するための手段】
【０００６】
この発明は、少なくとも１つの施設を巡回する巡回者の管理を行う巡回管理システムであって、各巡回対象施設に該巡回対象施設のＩＤ情報を格納した施設側固定制御装置を固定設置すると共に、上記巡回対象施設のＩＤ情報および上記巡回者のＩＤ情報の双方が所定時間内の間に入力され、前もって記録されたそれぞれのＩＤ情報との照合判定を行って双方がそれぞれに一致した場合に該施設側固定制御装置に解錠許可信号を出力する持ち運び可能な可搬型管理処理装置と、を備えたことを特徴とする巡回管理システムにある。
【発明の効果】
【０００７】
この発明では、各巡回対象施設と管理センターとの間にネットワークが不要であり、しかも従来のＩＤカード紛失等が生じることがなく、簡単で安価で信頼性の高い巡回管理システムを提供できる。
【発明を実施するための最良の形態】
【０００８】
実施の形態１．
図１はこの発明の巡回管理システムにおける変電所や無線基地局等からなる巡回対象施設の構成の一例を示すもので、以下、例えば変電所として説明する。変電所１の建物(又は設備)１ａの周囲にはフェンス１ｂがあり、このフェンス１ｂにはゲート１ｃが設けられている。ゲート１ｃ付近にはこのゲートの錠(図示省略)を施解錠するためのキー(図２のＫ参照)を格納したキーボックス１００が設けられている。
【０００９】
また、図２はキーボックス１００の外観の一例を示す図、図３はこのキーボックス１００との間で無線通信等によりＩＤの照合判定を含む、巡回管理処理を行う施設巡回者(例えば施設の保守を委託された保守員とする)が持ち歩く可搬型管理処理装置２００の外観の一例を示す図である。また、図４にはキーボックス１００の施設側固定制御装置１０５の部分の内部構成、図５には可搬型管理処理装置２００の内部構成、図６にはセンター管理装置３００の概略構成の一例をそれぞれ示す。
【００１０】
図２において、キーボックス１００は上部がキー収納部１０３、下部が施設側固定制御装置１０５になっており、キー収納部１０３にはフェンス１ｂの外側からキーＫが取り出せるように電磁ロック１０９を有する蓋１０１が設けられている。また下部の施設側固定制御装置１０５のフェンス１ｂの外側に面した部分には、可搬型管理処理装置２００と無線通信(近距離無線通信)を行うための送受信用アンテナ１０７ａおよび可搬型管理処理装置２００から電力供給を受けるための電源用コネクタ１１１が取り付けられている。
【００１１】
図３において、可搬型管理処理装置２００には、キーボックス１００の施設側固定制御装置１０５および本願のシステム全体を管理するセンターに設けられたセンター管理装置３００(図６参照)と無線通信(近距離無線通信)を行うための送受信用アンテナ２０１、施設側固定制御装置１０５に給電を行うための給電線２１７ａとこれの先端に取り付けられたコネクタ２１７、巡回者の指紋を読み取るための指紋リーダ２０３、入力キー２２５、指紋データ等の照合結果(ＯＫ、ＮＧ)を示す表示灯２２１、センター管理装置３００との間のデータの伝送をケーブル(図６のＣＢ)等を介して行う場合のデータ伝送用コネクタ２１９、および巡回先等でセンター管理装置３００との間で遠距離無線通信を行う遠距離無線通信部(図５の２２３)のアンテナ２２３ａが取り付けられている。
【００１２】
また図４の施設側固定制御装置１０５の内部構成において、ＣＰＵ１０７ｂは送受信用アンテナ１０７ａによりデータの送受を行うと共にＲＯＭ１０７ｃやＲＡＭ１０７ｄに格納されたプログラムやデータに従って所定の処理を行い、処理結果に従って電磁ロック１０９に解錠信号ＵＬを供給する。そして可搬型管理処理装置２００の電源用コネクタ２１７が電源用コネクタ１１１に接続されている間だけ、可搬型管理処理装置２００側からの電力供給を受けて動作可能となる。なお、送受信用アンテナ１０７ａ、制御装置のＣＰＵ１０７ｂ、ＲＯＭ１０７ｃ、ＲＡＭ１０７ｄの部分はこれらを一体に構成した非接触カード(ＩＤカード)１０７として構成してもよい。またＲＡＭ１０７ｄ等のためのデータ保持用バッテリ(図示省略)を設けていてもよい。
【００１３】
また図５の可搬型管理処理装置２００の内部構成において、ＣＰＵ２０５は、指紋データを読み取る指紋リーダ２０３で得られた巡回者の指紋データ、施設側固定制御装置１０５の送受信用アンテナ１０７ａやセンター管理装置３００の送受信用アンテナ３１１(図６)との間の無線通信を行う送受信用アンテナ２０１で得られたデータ、およびデータ伝送用コネクタ２１９、伝送用インターフェース２１１を介した得られたセンター管理装置３００からのデータを利用して、ＲＯＭ２０７やＲＡＭ２０９に格納されたプログラムやデータに従って所定の処理制御を行う。また電池２１３により得られる定電圧電源２１５を電源とすると共に、この定電圧電源２１５からの電力を給電線２１７ａおよび電源用コネクタ２１７を介して施設側固定制御装置１０５に提供する。センター管理装置３００との間のデータ伝送は、送受信用アンテナ２０１で行ってもよいし、データ伝送用コネクタ２１９にケーブル(図６のＣＢ)を接続して行ってもよい。遠距離無線通信部２２３はセンター管理装置３００の遠距離無線通信部３１３と無線通信を行う。
【００１４】
また図６のセンター管理装置３００は、キーボックス１００が設置されている多数の変電所の巡回管理を統轄して行うこの発明の巡回管理システムの管理センターにあるコンピュータで構成されたものであり、表示装置３０１、入力装置３０３、指紋リーダ３０５、データベース３０７、可搬型管理処理装置２００の送受信用アンテナ２０１との無線通信を行う送受信用アンテナ３１１、可搬型管理処理装置２００の遠距離無線通信部２２３との無線通信を行う遠距離無線通信部３１３、警報を発生する警報器３１５等が接続され、また可搬型管理処理装置２００との間でデータ伝送を行うためにケーブルＣＢが接続されるデータ伝送用コネクタ３０９を備える。
【００１５】
キーボックス１００の送受信用アンテナ１０７ａ、可搬型管理処理装置２００の送受信用アンテナ２０１、センター管理装置３００の送受信用アンテナ３１１は、非接触カードあるいはブルートゥース等で使用される近距離通信のためのアンテナであり、送受信用アンテナ１０７ａと送受信用アンテナ２０１が第１通信手段を構成し、送受信用アンテナ２０１と送受信用アンテナ３１１が第２通信手段を構成する。また、可搬型管理処理装置２００の遠距離無線通信部２２３とセンター管理装置３００の遠距離無線通信部３１３が遠距離無線通信手段を構成する。
【００１６】
図７にはセンター管理装置３００、可搬型管理処理装置２００およびキーボックス１００により構成されるこの発明による巡回管理システムの一連の動作のフローチャートを示し、以下これに従って動作を説明する。なお、可搬型管理処理装置２００およびキーボックス１００は一般にはそれぞれ複数含まれるが、各可搬型管理処理装置２００およびキーボックス１００の動作は基本的にそれぞれ同様である。
【００１７】
センター管理装置３００では、図８に示すような変電所巡回予定表を当日の出動前までに管理者が作成する(ステップＳ１)。データベース３０７には全巡回者の氏名と巡回者ＩＤ情報である指紋データ、および巡回対象施設である全変電所の名称とＩＤデータ(情報)が記載された元になる表が予め作成されて格納されており、これを管理者が例えば表示装置３０１に表示し、入力装置３０３によりこれに巡回者と巡回する変電所等の巡回予定を入力する。入力された巡回予定は例えば図８に示すように○印により表示される。なお元の表を作成する際の巡回者の指紋データの入力には指紋リーダ３０５が使用される。またこのような変電所巡回予定表は通常、１週間、１ヶ月単位でバッチ的に作成される。
【００１８】
巡回前に巡回者はセンターで、送受信用アンテナ２０１と送受信用アンテナ３１１とで通信が行えるようにセンター管理装置３００に可搬型管理処理装置２００を近づけ、例えば表示装置３０１に表示された図８の変電所巡回予定表の自分の名前をクリックすることで、自分の分の変電所巡回予定情報すなわち該巡回者の指紋データと巡回変電所のＩＤデータを可搬型管理処理装置２００にダウンロード(記録)し、例えばＲＡＭ２０９に記録する(ステップＳ２、Ｓ３)。またＲＡＭ２０９のデータは定電圧電源２１５で常に保持されている。
【００１９】
巡回予定情報が記録された可搬型管理処理装置２００を持って出動し、変電所に到着すると、巡回者は可搬型管理処理装置２００の電源用コネクタ２１７をキーボックス１００の電源用コネクタ１１１に接続し、キーボックス１００に電力を供給して動作可能な状態にする(ステップＳ３１)。そして巡回者が可搬型管理処理装置２００の入力キー２２５を操作することにより、送受信用アンテナ２０１によりキーボックス１００に対して変電所のＩＤデータ送信の要求を行う(ステップＳ１１)。この状態ではキーボックス１００はすでに電力供給を受けてＩＤデータ送信要求の待ち受け状態にあり、送受信用アンテナ１０７ａで送信要求を受けると(ステップＳ３２)、ＲＯＭ１０７ｃに予め記録されている該変電所のＩＤデータを送信する(ステップＳ３３)。以降、可搬型管理処理装置２００とキーボックス１００の間のデータ伝送は双方の送受信用アンテナ２０１、２０１間で行われる。
【００２０】
可搬型管理処理装置２００では、変電所のＩＤデータを受けると(ステップＳ１２)、ＲＡＭ２０９に記録した変電所のＩＤデータと照合判定して(ステップＳ１３)、一致しなければ表示灯２２１の「ＮＧ」を一時点灯し(ステップＳ１６)動作を終了する。また一致すれば表示灯２２１の「ＯＫ」を一時点灯する(ステップＳ１４)。巡回者はこの「ＯＫ」点灯を確認するとすぐに、指紋リーダ２０３に巡回者の指紋データを読み取らせる。可搬型管理処理装置２００は、変電所ＩＤデータ受信後、所定時間内に指紋データがリードされなければ(ステップＳ１５)、表示灯２２１の「ＮＧ」を一時点灯し(ステップＳ１６)動作を終了する。これは巡回者本人が該変電所の現場にいることを確認するためのものである。所定時間内に指紋データがリードされれば、ＲＡＭ２０９に記録した巡回予定情報の指紋データと照合判定し(ステップＳ１７)、一致しなければ表示灯２２１の「ＮＧ」を一時点灯(ステップＳ１９)しステップＳ１５に戻り、一致すれば表示灯２２１の「ＯＫ」を一時点灯(ステップＳ１８)すると共にキーボックス１００に解錠許可信号を送信する(ステップＳ２０)。
【００２１】
キーボックス１００では、可搬型管理処理装置２００から解錠許可信号を受けると(ステップＳ３４)、電磁ロック１０９に解錠信号を出力する(ステップＳ３５)。これにより電磁ロック１０９のロック状態が解除されて図２の蓋１０１が開放されて、中のキーＫを取り出して、このキーＫで変電所１内に入ることができる。電磁ロック１０９としては例えば、解錠信号でロック機構がコイル等の電磁力で開放位置にされ、巡回者等により蓋１０１が閉められると、その力で機械的にロック機構がロック位置に戻される構造のものを使用する。
【００２２】
巡回者はキーボックス１００の蓋１０１を開けてキーＫを取り出し、その後、蓋１０１を手で閉める。これにより電磁ロック１０９はロック位置に戻される。そしてキーＫでゲート１ｃの錠を解錠して変電所内に入り、必要な巡回(保守等)作業を行う。作業終了後、巡回者は変電所の外に出てキーＫでゲート１ｃの錠を施錠する。
【００２３】
そして巡回者は指紋リーダ２０３に巡回者の指紋データを読み取らせ、可搬型管理処理装置２００は指紋データがリードされると(ステップＳ２１)、リードされた指紋データがＲＡＭ２０９に記録した巡回予定情報の指紋データと照合判定し(ステップＳ２２)、一致しなければ表示灯２２１の「ＮＧ」を一時点灯(ステップＳ２３)しステップＳ２１に戻り、一致すれば表示灯２２１の「ＯＫ」を一時点灯(ステップＳ２４)すると共にキーボックス１００に解錠許可信号を送信する(ステップＳ２５)。
【００２４】
キーボックス１００では、可搬型管理処理装置２００から解錠許可信号を受けると(ステップＳ３６)、電磁ロック１０９に解錠信号が出力される(ステップＳ３７)。これにより電磁ロック１０９のロック状態が解除されて蓋１０１が開放され、巡回者は蓋１０１を開けてキーＫをキーボックス１００の中に入れ、その後再び蓋１０１を手で閉める。これによりキーボックス１００はキーＫを格納した状態で電磁ロック１０９がロック位置に戻された状態になる。そしてステップＳ１１以降の動作が、可搬型管理処理装置２００のＲＡＭ２０９に記録された各変電所について行われる(ステップＳ２６)。
【００２５】
またさらに、可搬型管理処理装置２００に各変電所の巡回の完了、未完了を示す巡回履歴情報を記録したりさらにはこれをセンター管理装置３００に送信して連絡するようにしてもよい。そのような場合には、例えばステップＳ２０で解錠許可信号を送信後、該変電所の巡回を完了したことを巡回履歴情報としてＲＡＭ２０９に記録する(ステップＳ２７)。巡回履歴情報としては、巡回を完了した変電所につては、例えばＲＡＭ２０９の巡回予定情報の該変電所のＩＤデータにフラグを立てる。そしてＲＡＭ２０９に記録された巡回予定情報の全変電所の巡回を終了した場合には(ステップＳ２８)、該巡回者にこのことを知らせるために例えば表示灯２２１の「ＯＫ」と「ＮＧ」を同時に一時点灯(ステップＳ２９)させた後、巡回履歴をセンター管理装置３００に遠距離無線通信部２２３により巡回履歴情報又は巡回完了信号を送信する(ステップＳ３０)。
【００２６】
センター管理装置３００ではステップＳ３で該可搬型管理処理装置２００に巡回予定情報をダウンロードした後、巡回予定情報に含まれる全変電所の巡回作業を行うのに充分な時間である所定時間(単純には１箇所の巡回作業時間を決めておく)が経過したか否かをチェックし(ステップＳ５)、遠距離無線通信部３１３により上述の巡回履歴又は巡回完了信号を受けると(ステップＳ４)、図８に示した変電所巡回予定表の該巡回者の表示を巡回が完了したことが解るように、色を変えたり点滅させる等の表示切替えを行う(ステップＳ８)。一方、所定時間経過しても巡回履歴又は巡回完了信号が得られない場合には(ステップＳ５)、ブザー等からなる警報器３１５で警報を行うと共に、図８に示した変電所巡回予定表の該巡回者の表示を事故等が発生して緊急対応を行う必要があることが解るように、色を変えたり点滅させる等の表示切替えを行う(ステップＳ６)。そして緊急対応をとる(ステップＳ７)。
【００２７】
なお、ステップＳ２０の解錠許可信号送信後の代わりに、ステップＳ２５での解錠許可信号送信後に、ステップＳ２７〜Ｓ３０を行い、これに基づき巡回完了信号等をセンターに送信するようにしてもよい。
【００２８】
以上のような巡回管理システムとすることで、各巡回対象施設である変電所と管理センターのセンター管理装置との間にネットワークが不要であり、しかもカード紛失の処理も不要であり、さらにキーボックス１００が可搬型管理処理装置２００側から電力供給を受けるようにすれば、停電バックアップを考慮する必要がない。
【００２９】
なお、図７のステップＳ２に示す巡回予定情報のダウンロードの要求があった際、指紋リーダ３０５により巡回者の指紋データを読み取り、データベース３０７内の上記表の元になる巡回者の指紋データとの照合を行い、一致した時にのみ該巡回者に関する変電所巡回予定情報の可搬型管理処理装置２００への記録を許可するようにしてもよい。
【００３０】
また図７のステップＳ７の緊急対応の場合には、緊急対応要員を事故にあった可能性のある巡回者の巡回予定情報の変電所に派遣して、代わりに巡回作業を行わせる。この場合には、事故にあった可能性のある巡回者の巡回予定情報にある変電所のＩＤデータや緊急対応する巡回者の指紋データを巡回予定情報として、緊急対応する巡回者の可搬型管理処理装置２００へセンター管理装置３００の入力装置３０３や指紋リーダ３０５から直接入力するようにしてもよい。
【００３１】
また上述の例では、巡回者のＩＤデータとして指紋データを使用したが、アイリス、網膜、顔形、声紋等、その他のバイオメトリック情報をＩＤデータとして使用してもよく、使用するＩＤデータの種類に従って可搬型管理処理装置２００の指紋リーダ２０３とセンター管理装置３００に接続された指紋リーダ３０５を変更すればよい。さらに単なる暗証番号としてもよく(その場合には可搬型管理処理装置２００の入力キー２２５使用)、さらにはこれらを併用するようにしてもよい。
【００３２】
また上述の例では、可搬型管理処理装置２００からキーボックス１００側に電力供給を行っていたが、停電時等の特別な状況を除いてキーボックス１００の施設側固定制御装置１０５が変電所側から電力供給を受けるようにしてもよい。その場合、図４に破線で示すように電源回路ＰＳＣが設けられる。
【００３３】
また上述の例では、電磁ロック１０９がキーボックス１００の蓋１０１のためのものであったが、電磁ロック１０９が例えば図１の変電所１のゲート１ｃのロックのためのものであってもよい。その場合には図１のキーボックス１００は、下側の施設側固定制御装置１０５と電磁ロック１０９の部分があればよく、これらはゲート１ｃやその近傍に設けられる。
【００３４】
また上述の例では、説明を分かり易くするために可搬型管理処理装置２００に巡回作業をする１人の巡回者のＩＤデータを記録した場合について説明したが、巡回に動向する複数あるいは全ての巡回者のＩＤデータを記録し、これらの全てのＩＤデータにより照合判定をさせるようにしてもよい。
【００３５】
また、可搬型管理処理装置２００における変電所のＩＤデータの照合判定後、キーボックス１００に解錠許可信号を送信する際、この解錠許可信号は重要な信号であるため、例えばキーボックス１００に図２と図４に破線で示すようにデータ伝送用コネクタＣＮを設け、可搬型管理処理装置２００のデータ伝送用コネクタ２１９とケーブル(図６に示すものと同様のもの)で接続して、ケーブルを介して解錠許可信号をキーボックス１００側に伝送するようにしてもよい。
【００３６】
また上述の例では、巡回対象施設として変電所を例に挙げたが、通信基地や各種倉庫等、様々な施設に流用できることは言うまでもない。
【００３７】
また上述の例では、可搬型管理処理装置２００とキーボックス１００の間および可搬型管理処理装置２００とセンター管理装置３００の間は送受信用アンテナ２０１、１０７ａ、３１１を使用した電磁波による無線通信を行っているが、情報通信部として送受信用アンテナ２０１、１０７ａ、３１１の代わりに、磁気カードや、電気的接触端子を備えたＩＣカードと同様の機構による情報通信部を双方に設けて使用してもよく、さらに発光用と受光用の光半導体素子を含む光による無線通信を行う情報通信部としてもよい。さらに、遠距離無線通信部も含めて、通信手段としては、無線ＬＡＮや携帯電話等を利用してもよく、通信手段は装置の設置条件等に併せて適当なもので実施すればよい。
【図面の簡単な説明】
【００３８】
【図１】この発明の巡回管理システムにおける巡回対象施設の構成の一例を示す図である。
【図２】図１のキーボックスの外観の一例を示す図である。
【図３】図２のキーボックスとの間でＩＤの照合判定等を無線通信で行う施設訪問者が持ち歩くこの発明の可搬型管理処理装置の外観の一例を示す図である。
【図４】図２のキーボックスの施設側固定制御装置の部分の内部構成の一例を示す図である。
【図５】図３の可搬型管理処理装置の内部構成の一例を示す図である。
【図６】この発明による巡回管理システムのセンター管理装置の概略構成の一例を示す図である。
【図７】この発明による巡回管理システムを構成するセンター管理装置、可搬型管理処理装置およびキーボックスの一連の動作を説明するためのフローチャートである。
【図８】この発明による巡回管理システムのセンター管理装置に設けられたデータベース内のデータの表示の一例を示す図である。
【符号の説明】
【００３９】
１  変電所、１ａ  建物(又は設備)、１ｂ  フェンス、１ｃ  ゲート、１００  キーボックス、１０１  蓋、１０３  キー収納部、１０５  施設側固定制御装置、１０７  非接触カード(ＩＤカード)、１０７ａ，２０１，３１１  送受信用アンテナ、１０７ｂ，２０５  ＣＰＵ、１０７ｃ，２０７  ＲＯＭ、１０７ｄ，２０９  ＲＡＭ、１０９  電磁ロック(電気錠)、１１１，２１７  電源用コネクタ、２００  可搬型管理処理装置、２０３，３０５  指紋リーダ、２１１  伝送用インターフェース、２１３  電池、２１５  定電圧電源、２１７ａ  給電線、２１９，３０９  データ伝送用コネクタ、２２１  表示灯、２２３，３１３  遠距離無線通信部、２２５  入力キー、３００  センター管理装置、３０１  表示装置、３０３  入力装置、３０７  データベース、３１５  警報器、ＣＢ  ケーブル、Ｋ  キー、ＰＳＣ  電源回路、ＣＮ  解錠許可信号用コネクタ。
【図１】
2006202050.tif 000003
【図２】
2006202050.tif 000004
【図３】
2006202050.tif 000005
【図４】
2006202050.tif 000006
【図５】
2006202050.tif 000007
【図６】
2006202050.tif 000008
【図７】
2006202050.tif 000009
【図８】
2006202050.tif 000010